(57)【要約】【課題】多数のＬＥＤを配置した長尺のＬＥＤ基板が透光性管体内の長手方向に収納され、管体の端部に端子部を備えた端部キャップを備え、端子部に半田付けされたリード線を介してＬＥＤへ電力供給するＬＥＤ照明装置において、リード線が引っ張り、撓み、捩じれの場合でも、その作用力が半田付け箇所に直接掛からないようにすると共に、管体内に形成した挿入溝にＬＥＤ基板を挿入支持する構成を採用する場合おいて、ＬＥＤ基板の移動によってリード線が損傷しないようにする技術を提供するものである。【解決手段】管体は押し出し成形にて筒状に形成されると共にその内面対向位置に長手方向に延在してＬＥＤ基板の対向端部が挿入支持される一対の支持溝が形成され、端部キャップは、リード線の途中を屈曲係止する係止部と、一対の支持溝に挿入支持されたＬＥＤ基板の長手方向端部が、係止部によって屈曲係止されたリード線の屈曲部に当接することを防止するストッパ部を備えたこと。【選択図】図８
2012009285.tif 000002
【特許請求の範囲】
【請求項１】
多数のＬＥＤを配置した長尺のＬＥＤ基板が少なくとも一部が透光性である管体内の長
手方向に延在するよう収納され、ソケット部に嵌合装着される端子部を備えた端部キャッ
プが前記管体の両端に取り付けられ、前記端子部に半田付けされたリード線を介して前記
ＬＥＤへ電力が供給されるＬＥＤ照明装置において、
前記端部キャップは前記リード線の途中を屈曲係止する係止部を備え、前記屈曲係止に
よって前記半田付け箇所へ掛かるリード線の引っ張りまたは撓みを吸収することを特徴と
するＬＥＤ照明装置。
【請求項２】
前記端子部は前記ソケット部から供給される交流電力が印加される２本で構成されると
共に、前記リード線はそれぞれ前記２本の端子部に接続される２本で構成され、前記端部
キャップは、前記２本のリード線の途中がＳ字状屈曲となる状態で係止されるように前記
係止部が互いに向かい合う状態に一体形成された合成樹脂製であることを特徴とする請求
項１に記載のＬＥＤ照明装置。
【請求項３】
多数のＬＥＤを配置した長尺のＬＥＤ基板が少なくとも一部が透光性である管体内の長
手方向に延在するよう収納され、ソケット部に嵌合装着される端子部を備えた端部キャッ
プが前記管体の両端に取り付けられ、前記端子部に半田付けされたリード線を介して前記
ＬＥＤへ電力が供給されるＬＥＤ照明装置において、
前記管体は押し出し成形にて筒状に形成されると共にその内面対向位置に前記管体の長
手方向に延在して前記ＬＥＤ基板の対向端部が挿入支持される一対の支持溝が形成され、
前記端部キャップは、前記リード線の途中を屈曲係止する係止部と、前記一対の支持溝
に挿入支持された前記ＬＥＤ基板の長手方向端部が、前記係止部によって屈曲係止された
前記リード線の屈曲部に当接することを防止するストッパ部を備えたことを特徴とするＬ
ＥＤ照明装置。
【発明の詳細な説明】
【技術分野】
【０００１】
本発明は、多数のＬＥＤ（発光ダイオード）を配置した長尺帯板状の基板が管体内に収
納されたＬＥＤ照明装置に関し、特に、左右の端子と基板とを電気的に接続するリード線
の安定保持を達成したＬＥＤ照明装置に関する。
【背景技術】
【０００２】
透明または半透明の管体１内に、多数のＬＥＤを配置した長尺のＬＥＤ実装基板３と、
ＬＥＤ実装基板３を取り付ける回路基板５が、管体１の長手に延在するように設けられ、
管体１の両端には、管体１内部を閉塞するような状態で口金９が取り付けられ、口金９に
は、従来の直管形蛍光灯の取り付け用ソケット部に嵌合装着される端子部１０が取り付け
られ、回路基板５と端子部１０は、リード線によって電気的に接続された、直管形ＬＥＤ
照明装置がある（特許文献１参照）。
【先行技術文献】
【特許文献】
【０００３】
【特許文献１】特開２０１０−４４９２０号公報
【発明の概要】
【発明が解決しようとする課題】
【０００４】
第１方式として、リード線の両端がそれぞれ回路基板５と端子部１０に半田付けされて
、リード線によって回路基板５と端子部１０が電気的に接続される。また、第２方式とし
て、組み立てに容易さを考慮し、端子部１０とリード線は半田付けされるが、回路基板５
とリード線は着脱式コネクタによって接続される構成とする場合がある。
【０００５】
このいずれの方式の場合でも、端子部１０を取り付けた口金９の基部を管体１の両端に
挿入する状態で口金９が管体１の両端に取り付けられるが、第１方式の場合は、この取り
付け作業前に、リード線の両端がそれぞれ回路基板５と端子部１０に半田付けされてリー
ド線によって電気的に接続されており、この取り付け作業時にリード線が引っ張られたり
撓んだりするときの作用力が半田付け箇所に掛かり、半田付け箇所が剥がれたり、接触不
良状態になったり等、電気的接続不良が生じる虞がある。
【０００６】
また、第２方式の場合は、この口金９を管体１の両端に取り付ける取り付け作業前に、
一端に前記コネクタが取り付けられたリード線の他端が端子部１０に半田付けされており
、この取り付け作業時にリード線が引っ張られたり撓んだりするときの作用力が半田付け
箇所に掛かり、半田付け箇所が剥がれたり、接触不良状態になったり等、電気的接続不良
が生じる虞がある。
【０００７】
また、特許文献１のように、長尺のＬＥＤ実装基板３の片面に多数のＬＥＤを配置した
構成では、ＬＥＤの照射角度が略１２０度となるため、ＬＥＤ照明装置の取り付け状態に
よっては、所定の方向へ照射し難い状況が生じる場合がある。この場合、ＬＥＤ実装基板
３のＬＥＤを配置した面の向きを変更して、所定の方向へ照射する構成を採用することが
考えられる。この場合リード線が捩じれるが、その捩じれの作用力が端子部１０とリード
線との半田付け箇所に掛かり、この半田付け箇所が剥がれたり、接触不良状態になったり
等、電気的接続不良が生じる虞がある。
【０００８】
本発明は、このような点に鑑み、リード線が引っ張られたり、撓んだり、捩じれたりし
た場合でも、その作用力が半田付け箇所に直接掛からないようにして、半田付け箇所が剥
がれたり、接触不良状態になったり等、電気的接続不良が生じないようにする技術を提供
するものである。
【０００９】
また本発明は、上記のような電気的接続不良が生じないようにする技術と共に、長尺の
管体内に形成した挿入溝にＬＥＤ実装基板を挿入支持する構成を採用する場合おいて、Ｌ
ＥＤ実装基板の移動によって口金から延びるリード線が損傷しないようにする技術を提供
するものである。
【課題を解決するための手段】
【００１０】
第１発明は、多数のＬＥＤを配置した長尺のＬＥＤ基板が少なくとも一部が透光性であ
る管体内の長手方向に延在するよう収納され、ソケット部に嵌合装着される端子部を備え
た端部キャップが前記管体の両端に取り付けられ、前記端子部に半田付けされたリード線
を介して前記ＬＥＤへ電力が供給されるＬＥＤ照明装置において、
前記端部キャップは前記リード線の途中を屈曲係止する係止部を備え、前記屈曲係止に
よって前記半田付け箇所へ掛かるリード線の引っ張りまたは撓みを吸収することを特徴と
する。
【００１１】
第２発明は、第１発明において、前記端子部は前記ソケット部から供給される交流電力
が印加される２本で構成されると共に、前記リード線はそれぞれ前記２本の端子部に接続
される２本で構成され、前記端部キャップは、前記２本のリード線の途中がＳ字状屈曲と
なる状態で係止されるように前記係止部が互いに向かい合う状態に一体形成された合成樹
脂製であることを特徴とする。
【００１２】
第３発明は、多数のＬＥＤを配置した長尺のＬＥＤ基板が少なくとも一部が透光性であ
る管体内の長手方向に延在するよう収納され、ソケット部に嵌合装着される端子部を備え
た端部キャップが前記管体の両端に取り付けられ、前記端子部に半田付けされたリード線
を介して前記ＬＥＤへ電力が供給されるＬＥＤ照明装置において、
前記管体は押し出し成形にて筒状に形成されると共にその内面対向位置に前記管体の長
手方向に延在して前記ＬＥＤ基板の対向端部が挿入支持される一対の支持溝が形成され、
前記端部キャップは、前記リード線の途中を屈曲係止する係止部と、前記一対の支持溝
に挿入支持された前記ＬＥＤ基板の長手方向端部が、前記係止部によって屈曲係止された
前記リード線の屈曲部に当接することを防止するストッパ部を備えたことを特徴とする。
【発明の効果】
【００１３】
第１発明によって、リード線が引っ張られても、係止部にリード線が引っ掛かる状態と
なり、引っ張り力が端子部とリード線の半田付け箇所に掛からず、半田付け箇所の剥がれ
や、接触不良になることもなく、電気的接続不良となることを防止できる。また、端部キ
ャップを管体の両端に取り付ける際にリード線が撓むが、リード線の途中が係止部に屈曲
係止した状態であるため、このリード線が撓む際に生じる作用力が、このリード線の屈曲
係止によって吸収され、リード線を通してこの撓みによる作用力が半田付け箇所に掛から
ず、半田付け箇所の剥がれや、接触不良になることもなく、電気的接続不良となることを
防止できる。
【００１４】
第２発明では、２本のリード線の途中がＳ字状屈曲となる状態で係止されるため、リー
ド線の屈曲係止が良好となり、半田付け箇所へ掛かるリード線の引っ張りまたは撓みを吸
収する効果が向上する。また、係止部が互いに向かい合う状態に端部キャップに一体形成
されるため、２本のリード線の屈曲係止状態を安定保持できると共に、強度のある係止部
の形成が容易となる。
【００１５】
第３発明では、端部キャップにリード線の途中を屈曲係止する係止部を設けて、リード
線が引っ張られまたはリード線が撓んだ場合の作用力によって、半田付け箇所の剥がれや
接触不良になることを防止する場合において、管体内でのＬＥＤ基板の支持構造を簡素化
するために、管体内面に管体の押し出し成形と同時にＬＥＤ基板の支持溝を形成する構成
を採用した場合、端部キャップに設けたストッパ部によって、管体内でのＬＥＤ基板の長
手方向端部が制限されるため、屈曲係止されたリード線にＬＥＤ基板の端部が当接して生
じるリード線の被覆の損傷が防止できるものとなる。
【図面の簡単な説明】
【００１６】
【図１】本発明に係るＬＥＤ照明装置の外観図である。
【図２】本発明に係るＬＥＤ照明装置の管体内に収納した基板の状態説明図である。
【図３】図２のＹ方向から見た管体内に収納したＬＥＤ基板の状態説明図である。
【図４】本発明に係るＬＥＤ照明装置の端部キャップと管体内に収納した基板との関係を示す斜視図である。
【図５】本発明に係るＬＥＤ照明装置の端部キャップのリード線の配置状態を示す斜視図である。
【図６】本発明に係るＬＥＤ照明装置の端部キャップの側面図である。
【図７】本発明に係るＬＥＤ照明装置の端部キャップ内のリード線の配置状態図である。
【図８】図７のＡ−Ａ断面図である。
【図９】本発明に係るＬＥＤ照明装置の端部キャップ、ＬＥＤ基板及び管体の関係を示す分解斜視図である。
【図１０】本発明に係るＬＥＤ照明装置をグロー管点灯方式の直管形蛍光灯照明装置に置換する場合の結線図である。
【図１１】本発明に係るＬＥＤ照明装置をラピッドスタート点灯方式の直管形蛍光灯照明装置に置換する場合の結線図である。
【図１２】本発明に係るＬＥＤ照明装置を専用ソケットに取り付ける場合の結線図である。
【発明を実施するための形態】
【００１７】
本発明は、多数のＬＥＤを配置した長尺のＬＥＤ基板が少なくとも一部が透光性である
管体内の長手方向に延在するよう収納され、ソケット部に嵌合装着される端子部を備えた
端部キャップが前記管体の両端に取り付けられ、前記端子部に半田付けされたリード線を
介して前記ＬＥＤへ電力が供給されるＬＥＤ照明装置において、
前記端部キャップは前記リード線の途中を屈曲係止する係止部を備え、前記屈曲係止に
よって前記半田付け箇所へ掛かるリード線の引っ張りまたは撓みを吸収するものであり、
以下に本発明の実施例を記載する。
【実施例１】
【００１８】
本発明に係るＬＥＤ照明装置１は、従来使用されている直管形蛍光灯照明装置の直管形
蛍光灯に代わって、そのソケット（図１０〜図１１に点線で示す）に取り付けられるよう
にすることを一つの目的とするものであるが、これに限定されず、本発明に係るＬＥＤ照
明装置１を取り付ける専用のソケット１２（図１２に点線で示す）を備える照明器具にも
適用可能な照明装置となるものである。
【００１９】
以下に本発明に係るＬＥＤ照明装置１を図に基づき説明する。ＬＥＤ照明装置１は、多
数のＬＥＤ（発光ダイオード）２を配置した長尺のＬＥＤ基板３が少なくとも一部が透光
性である直管形管体４内の長手方向（管体４の長軸方向）に延在するよう収納され、従来
使用されている直管形蛍光灯照明装置等のソケット部１２（図１０〜図１２に点線で示す
）に嵌合装着される端子部５を備えた端部キャップ６が管体４の両端に取り付けられ、端
子部５に半田付けされたリード線７を介してＬＥＤ２へ所定の電力が供給され、ＬＥＤ２
が発光するものである。
【００２０】
管体４内には、ＬＥＤ基板３の他にＬＥＤ駆動用回路基板８が収納され、適宜の支持構
造でもって支持されている。ＬＥＤ基板３は平板状の合成樹脂製であり、その片側面が照
明側面３Ｐとなるように多数のＬＥＤ２が配置されており、照明側面３Ｐの反対側となる
他方側面（裏面）には、ＬＥＤ２へ電力供給する電気回路素子を取り付けた平板状のＬＥ
Ｄ駆動用回路基板８が、ＬＥＤ基板３と並行状態にＬＥＤ基板３に取り付けられている。
実施例では図１乃至図３に示すように、ＬＥＤ照明装置１は、部屋の天井部分等に取り付
けられて下方を照明する状態を示しており、ＬＥＤ基板３の下側面が照明側面３Ｐとなる
ように配置された構成である。
【００２１】
ＬＥＤ基板３の照明側面３Ｐには、一列に電気的に直列接続された多数のＬＥＤ２が直
線状に配列される状態でもって、全部で３０６個のＬＥＤ２が３列に所定間隔でもって配
置されている。実施例で示すＬＥＤ照明装置１は長さＬが略１２００ｍｍであり、この長
さに対応する長さのＬＥＤ基板３を１枚の基板で形成することは、コスト的にもアップす
るため、実施例では３枚の単位基板Ａ、Ｂ、Ｃが直列接続されてＬＥＤ基板３を構成して
いる。このため、単位基板Ａ、Ｂ、Ｃにはそれぞれ１列３４個のＬＥＤ２が３列に所定間
隔でもって配置された状態であり、単位基板Ａ、Ｂ、Ｃの各列のＬＥＤ２は、電気的に直
列接続されて、全体として３０６個のＬＥＤ２が３列構成である。
【００２２】
管体４は、ＬＥＤ２の発光が透過するために、図１に一点鎖線で示す線ＰＬから上方領
域４Ｕを不透明とし、線ＰＬから下方領域４Ｄが透明または半透明（着色または乳白色を
含む）になった透光性をなすように、合成樹脂材の押し出し成形または引き抜き成形で形
成された円筒状またはそれに近い筒状である。平坦な照明側面３Ｐに取り付けたＬＥＤ２
の発光による照射角度は、略１２０度であるため、平坦な照明側面３Ｐに取り付けた３列
の両端の各列のＬＥＤ２の光の照射角度、及び管体４での反射光を考慮すれば、管体４は
、略ＬＥＤ基板３に対応する下方領域４Ｄが透光性をなす構成とすればよい。なお、上方
領域４Ｕを不透明とすれば、ＬＥＤ基板３よりも上方にあるＬＥＤ駆動用回路基板８、及
びそれに取り付けられた電気回路素子が外部から見えない状態となり、外観上好ましい形
態となる。管体４の成形と同時に上方領域４Ｂを不透明とする方法として種々あるが、例
えば、管体４の上方領域４Ｕに多数の細かい筋を形成する方法であってもよい。
【００２３】
管体４の両端部に取り付けた端部キャップ６の端子部５は、それぞれ２本のピンを備え
たものであるが、これは従来使用されている直管形蛍光灯照明装置のソケット部１２（図
１０〜図１２に点線で示す）に嵌合装着されるための構成となっているためである。この
ため、直管形蛍光灯に替えてＬＥＤ照明装置１を直管形蛍光灯照明装置のソケット部１２
に嵌合装着する場合において、直管形蛍光灯の点灯がグロー管方式であった場合は、図１
０に示すように、グロー管を取り外すと共に、安定器への配線は×印で示すように切り離
した状態でもって、新たなバイパス結線１３を結線する。この状態で、ＬＥＤ照明装置１
をソケット部１２に嵌合装着すれば、商用交流電力ＡＣがこのバイパス結線１３を通して
、管体４の一方側（図１０の左方側）の端子部５の２本のピンのうちのいずれか一方と、
管体４の他方側（図１０の右方側）の端子部５の２本のピンのうちのいずれか一方とに供
給されるものとなる。
【００２４】
また、直管形蛍光灯の点灯がグロー管方式でないラピッドスタート方式の場合は、図１
１に示すように、安定器への配線は×印で示すように切り離した状態でもって、新たなバ
イパス結線１３を結線する。この状態で、ＬＥＤ照明装置１をソケット部１２に嵌合装着
すれば、商用交流電力ＡＣがこのバイパス結線１３を通して、管体４の一方側（図１１の
左方側）の端子部５の２本のピンのうちのいずれか一方と、管体４の他方側（図１１の右
方側）の端子部５の２本のピンのうちのいずれか一方に供給されるものとなる。
【００２５】
図１２には、ＬＥＤ照明装置１の専用ソケット方式を示している。この場合は、ＬＥＤ
照明装置１を専用ソケット部１２に嵌合装着すれば、商用交流電力ＡＣが専用ソケット部
１２から、管体４の一方側（図１２の左方側）の端子部５の２本のピンのうちのいずれか
一方と、管体４の他方側（図１２の右方側）の端子部５の２本のピンのうちのいずれか一
方とに供給される配線である。
【００２６】
このようにしてＬＥＤ照明装置１の両端の端子部５へ供給される商用交流電力ＡＣによ
って、ＬＥＤ２が発光するようにするために、ＬＥＤ２へ電力供給する電気回路素子Ｓを
取り付けたＬＥＤ駆動用回路基板８が設けられている。ＬＥＤ駆動用回路基板８には、左
右の端子部５にそれぞれリード線７側の端子側コネクタ１１Ｂと接続される基板側コネク
タ１１Ａが配置され、これらの基板側コネクタ１１Ａと端子側コネクタ１１Ｂが接続され
た状態で、左右の端子部５からリード線７を介して商用交流電力ＡＣが、ＬＥＤ駆動用回
路基板８の電気回路素子Ｓに供給される。この電気回路素子Ｓとして、ＬＥＤ駆動用回路
基板８には、この左右の端子部５からリード線７を介して供給される商用交流電力ＡＣを
整流して所定の直流ＤＣとするための整流回路を含むＡＣ／ＤＣ変換回路部９と、ＡＣ／
ＤＣ変換回路部９から供給される直流ＤＣを所定電圧としてＬＥＤ２に供給する電圧制御
部１０を備えている。
【００２７】
ＬＥＤ基板３を円筒状の管体４内に支持するために、円筒状の管体４の内面には、管体
４の長さ方向（管４の軸方向）へ延びた対向する一対の支持溝４Ａが、管体４の形成と同
時に形成されている。一対の支持溝４Ａは、図７及び図８に示すように、それぞれ管体４
の長さ方向（管４の軸方向）へ延びた対向する一対のリブ４Ｂ、４Ｂ間に形成されており
、一対のリブ４Ｂ、４Ｂの間隔は、ＬＥＤ基板３の厚さよりも若干大きい寸法の間隔を存
して、管体４の形成と同時に、管体４の全長に亘って形成されている。一対の支持溝４Ａ
に支持されたＬＥＤ基板３は、図７及び図８に示すように、内側管体４１の上下の中央部
よりも若干下方に位置する。これは、上記のように照明側面３Ｐに取り付けたＬＥＤ２の
照射角度は略１２０度であること、及び電気回路素子Ｓを取り付けたＬＥＤ駆動用回路基
板８がＬＥＤ基板３の裏側に配置されている状態での収納を考慮したためである。
【００２８】
端部キャップ６は、円筒状の管体４に合わせるために、電気絶縁材である合成樹脂材で
もって円筒状に形成されている。端子部５は、電気絶縁材の端子支持部材１４に取り付け
られた状態で、端子側コネクタ１１Ｂを備えたリード線７の一端と半田付けにて接続され
る。端部キャップ６への端子支持部材１４の取り付けは、端子支持部材１４と一体に組み
合わせたカップ状の金属製外観部材１４Ａが、端部キャップ６の外側端の環状取り付け部
６Ａの外面に接着にて行なわれる。
【００２９】
図４に示すように、電気回路素子を取り付けたＬＥＤ駆動用回路基板８の幅Ｔ１は、Ｌ
ＥＤ基板３の幅Ｔ２よりも十分小さく設定され、ＬＥＤ駆動用回路基板８の幅Ｔ１の両側
に、ＬＥＤ基板３の長尺方向に並行に延びた長尺端縁３Ａが存在する配置でもって、ＬＥ
Ｄ駆動用回路基板８をＬＥＤ基板３の裏側に取り付けている。このような構成において、
図９に示すように、管体４の一端開口から、ＬＥＤ基板３の長尺端部３Ａを管体４内の一
対の支持溝４Ａにスライドにて挿入し、ＬＥＤ基板３を管体４内に収納する。この収納状
態において、管体４の左右の開口端部に端部キャップ６が取り付けられる。この取り付け
を達成するために、端部キャップ６の環状取り付け部６Ｂには、一対のリブ４Ｂ、４Ｂが
挿入される切り欠き６Ｄが形成されている。
【００３０】
管体４の左右の開口端部への端部キャップ６の取り付けに際し、先ず基板側コネクタ１
１Ａと端子側コネクタ１１Ｂとを結合させ、この状態で、管体４の左右の開口端部に端部
キャップ６を嵌め合わせる。この嵌め合わせに伴って、一対のリブ４Ｂ、４Ｂが切り欠き
６Ｄに挿入されつつ、管体４の開口端部が端部キャップ６の環状のストッパフランジ６Ｃ
に当接する状態まで、管体４を内側端の環状取り付け部６Ｂの外面に挿入する。この挿入
によって、環状取り付け部６Ｂと管体４とは、少なくともそのいずれか一方に塗布した接
着剤によって結合され、環状取り付け部６Ｂと管体４とが一体化される。
【００３１】
管体４の左右の開口端部への端部キャップ６の取り付けにおいて、管体４内の一対の支
持溝４Ａに挿入支持されたＬＥＤ基板３が、管体４内の所定位置に収まり位置決めされる
ようにするために、切り欠き６Ｄの中央部には、基板ストッパ部６Ｅが端部キャップ６に
形成されている。これによって、上記のように管体４の左右の開口端部への端部キャップ
６の取り付けによって、ＬＥＤ基板３が管体４の左右のいずれかの方向へずれておれば、
図８に示すように、ＬＥＤ基板３の長尺方向の端部３Ｂが基板ストッパ部６Ｅに当接して
、ＬＥＤ基板３が管体４の左右の中央位置へ位置決めされる状態となる。この位置決めは
、ＬＥＤ２の発光が、管体４の全長から均一に得られるようにするために有効である。
【００３２】
このようにして管体４と端部キャップ６とは結合されるが、この組立作業において、リ
ード線７が引っ張られたり、撓んだり、捩じれたりした場合、その作用力がリード線７と
端子部５との半田付け箇所に直接掛かれば、この半田付け箇所が剥がれたり、接触不良状
態になったり等、電気的接続不良が生じる。また、端子側コネクタ１１Ｂを取り付けたリ
ード線７が端子部５に半田付けされた状態で、上記のような組立作業の準備中や運搬中に
、引っ張りや捩じれ等による作用力が半田付け箇所に掛かった場合も、同様に電気的接続
不良が生じる虞がある。本発明はこのような事態にならないようにする技術を提供するも
のであり、以下にその具体的な構成について記載する。
【００３３】
図５、図７、図８等に示すように、端部キャップ６の内側には、環状取り付け部６Ｂで
囲まれた内方領域には、環状取り付け部６Ｂから突出しない範囲で、リード線７の途中を
屈曲係止する係止部１５を備え、この屈曲係止によってリード線７と端子部５との半田付
け箇所へ掛かるリード線７の引っ張りや撓み等の作用力を吸収するようにしている。
【００３４】
係止部１５は、向かい合った一対の第１係止部１５Ａ、１５Ａと、第２係止部１５Ｂ、
１５Ｂによって構成している。第１係止部１５Ａ、１５Ａは、端部キャップ６内の内外隔
壁１６に形成した孔１６Ａに端部に形成され、この孔１６Ａに臨むように第２係止部１５
Ｂ、１５Ｂが形成されている。このため、端子部５から延びた２本のリード線７は、それ
ぞれ孔１６Ａの近傍で内外隔壁１６を貫通して第２係止部１５Ｂ、１５Ｂに係止するよう
に屈曲した後、端子側コネクタ１１Ｂへ延びる。この状態で、図８に示すように、２本の
リード線７はそれぞれ第１係止部１５Ａ、１５Ａに係止すると共に孔１６Ａに一部が侵入
する状態で、第２係止部１５Ｂ、１５Ｂに係止した状態となる。第１係止部１５Ａ、１５
Ａと、第２係止部１５Ｂ、１５Ｂへのリード線７の係止は、第２係止部１５Ｂ、１５Ｂ間
からリード線７を屈曲させつつ挿入係止することによって達成できる。
【００３５】
第１係止部１５Ａ、１５Ａと、第２係止部１５Ｂ、１５Ｂへのリード線７の係止は、第
２係止部１５Ｂ、１５Ｂ間からリード線７を屈曲させつつ、図５に矢印Ｑで示す方向へ挿
入係止することによって達成できる。
【００３６】
これによって、端子側コネクタ１１Ｂ側へリード線７が引っ張られても、主として第２
係止部１５Ｂに係止するため、この引っ張り作用力がこの部分で吸収されて、端子部５と
の半田付け箇所へ掛かることがないか抑制される。
また、端子側コネクタ１１Ｂ側から端子部５方向へリード線７が撓んでも、主として第２
係止部１５Ｂに押し圧係止するため、この撓み作用力がこの部分で吸収されて、端子部５
との半田付け箇所へ掛かることがないか抑制される。また、リード線７が捩じれた場合に
は、第１係止部１５Ａ、１５Ａ及び第２係止部１５Ｂ、１５Ｂのいずれかまたは双方によ
って、この捩じれ作用力がこの部分で吸収されて、端子部５との半田付け箇所へ掛かるこ
とがないか抑制される。
【００３７】
図８に示すように、第１係止部１５Ａ、１５Ａと、第２係止部１５Ｂ、１５Ｂへリード
線７を係止した状態で、２本のリード線の途中がＳ字状屈曲となる状態で係止されること
により、リード線７の引っ張り、撓み、捩じれによる作用力の吸収は、更に良好な効果を
得ることができる。
【００３８】
また、上記のようなリード線７の引っ張り、撓み、捩じれによる作用力の吸収は、内外
隔壁１６に形成した孔１６Ａが存在しない構成でも差し支えないが、この孔１６Ａの存在
によって、更に良好な効果を得ることができる。また、この孔１６Ａに相当する部分で隔
壁１６が端子部５側へ窪んでいても、この係止部１５に部分で２本のリード線の途中がＳ
字状屈曲となる状態で係止されることとなり、同様の効果を得ることができる。
【００３９】
上記のように、管体４は押し出し成形にて筒状に形成されると共にその内面対向位置に
、管体４の長手方向に延在してＬＥＤ基板３の対向端部３Ａが挿入支持される一対の支持
溝４Ａが形成され、図８に示すように、端部キャップ６は、リード線７の途中を屈曲係止
する係止部１５と、一対の支持溝４Ａに挿入支持されたＬＥＤ基板３の長手方向端部３Ｂ
に当接して、ＬＥＤ基板３の位置決めをするストッパ部６Ｅを形成した構成である。この
ストッパ部６Ｅは、環状取り付け部６Ｂで囲まれた内方領域において、ＬＥＤ基板３の長
手方向端部３Ｂに当接または近接する位置であり、且つ、ＬＥＤ基板３の長手方向端部３
Ｂが、係止部１５によって屈曲係止されたリード線７の屈曲部に当接しないように、ＬＥ
Ｄ基板３の長手方向移動を制限する作用をする位置である。このため、ＬＥＤ基板３の長
手方向移動がストッパ部６Ｅによって制限されるため、運搬中などでＬＥＤ基板３が移動
してリード線７の被覆損傷等を防止できる。
【産業上の利用可能性】
【００４０】
本発明に係るＬＥＤ照明装置は、上記実施例に示した直管形ＬＥＤ照明装置に限らず、
サークライン形やその他の屈曲形であっても本発明の技術が適用できるものであり、本発
明の技術範囲において種々の形態のＬＥＤ照明装置を包含するものである。
【符号の説明】
【００４１】
１・・・・・ＬＥＤ照明装置
２・・・・・ＬＥＤ
３・・・・・ＬＥＤ基板
３Ａ・・・・照明側面
３Ｂ・・・・ＬＥＤ基板３の長手方向端部
３Ｐ・・・・照明側面
４・・・・・管体
４Ａ・・・・溝
４Ｂ・・・・リブ
５・・・・・端子部
６・・・・・端部キャップ
６Ｂ・・・・環状取り付け部
６Ｄ・・・・切り欠き
６Ｅ・・・・ストッパ部
７・・・・・リード線
８・・・・・ＬＥＤ駆動用回路基板
９・・・・・ＡＣ／ＤＣ変換回路部
１０・・・・電圧制御部
１１Ａ・・・基板側コネクタ
１１Ｂ・・・端子側コネクタ
１２・・・・ソケット
１３・・・・バイパス線
１５・・・・係止部
１５Ａ・・・第１係止部
１５Ｂ・・・第２係止部
１６・・・・隔壁
１６Ａ・・・孔
【図１】
2012009285.tif 000003
【図２】
2012009285.tif 000004
【図３】
2012009285.tif 000005
【図４】
2012009285.tif 000006
【図５】
2012009285.tif 000007
【図６】
2012009285.tif 000008
【図７】
2012009285.tif 000009
【図８】
2012009285.tif 000010
【図９】
2012009285.tif 000011
【図１０】
2012009285.tif 000012
【図１１】
2012009285.tif 000013
【図１２】
2012009285.tif 000014